(57)【要約】【課題】格子状に組み立てた状態を確実に維持することができるだけでなく、格子状に組んだ状態を維持しながら極めてコンパクトに畳み込むことができ、迅速な組み立てと折り畳みが行える仕切体を提供する。【解決手段】第１仕切板２ａ〜２ｅと第２仕切板３ａ〜３ｃとが共に起立した状態で互いに交差して組み立てられる。第２仕切板３ａ〜３ｃの同じ位置に折目線８を設ける。折目線８を介して各第２仕切板３ａ〜３ｃを同時に折り曲げて各第２仕切板３ａ〜３ｃと各第１仕切板２ａ〜２ｅとを互いに重合する方向に折り畳み自在とする。【選択図】図４
2005053518.tif 000002
【特許請求の範囲】
【請求項１】
底面形状が長方形の箱の内部に収容自在に形成され、
前記箱の底面形状の長辺方向に所定間隔を存して配列された複数の第１仕切板と前記箱の底面形状の短辺方向に所定間隔を存して配列された複数の第２仕切板とが共に起立した状態で互いに交差して前記箱の内部を格子状に区画する仕切体において、
それぞれの第２仕切板の同じ位置に上下方向に延びる折目線を設け、
該折目線を介して各第２仕切板を同時に折り曲げて各第２仕切板と各第１仕切板とを互いに重合する方向に折り畳み自在としたことを特徴とする仕切体。
【請求項２】
それぞれの第２仕切板の同じ位置に上下方向に互いに平行に延びる複数の折目線を設け、
各折目線を介して各第２仕切板を同時に蛇腹状に折り曲げて各第２仕切板と各第１仕切板とを互いに重合する方向に折り畳み自在としたことを特徴とする請求項１記載の仕切体。
【請求項３】
前記第２仕切板の折目線は、第１仕切板との交差位置に設けられていることを特徴とする請求項１又は２記載の仕切体。
【請求項４】
前記第１仕切板は、その上端縁から下方に延びる第１上切込と、該第１仕切板の下端縁から上方に延びる第１下切込とを備え、前記第２仕切板は、その下端縁から上方に延びて前記第１仕切板の第１上切込に係合する第２下切込と、該第２仕切板の上端縁から下方に延びて前記第１仕切板の第１下切込に係合する第２上切込とを備えることを特徴とする請求項１乃至３の何れか１項記載の仕切体。
【請求項５】
前記第２仕切板の両端部に互いに対向して起立する一対の側板が設けられ、
一方の側板の下縁と他方の側板の下縁とに両端縁が一体に連設されて前記箱の底面に沿って水平方向に延びる矩形状の底板が設けられ、
該底板は、前記側板の下縁に平行に形成された他の折目線を備え、
前記第２仕切板を折り曲げて各第２仕切板と各第１仕切板とを互いに重合する方向に折り畳んだとき、両側板が互いに接近することにより他の折目線を介して底板が折り曲げられることを特徴とする請求項１乃至４の何れか１項記載の仕切体。
【請求項６】
前記底板は、前記側板の下縁に平行に形成された他の折目線を複数備え、
前記第２仕切板を折り曲げて各第２仕切板と各第１仕切板とを互いに重合する方向に折り畳んだとき、両側板が互いに接近することにより各他の折目線を介して底板が蛇腹状に折り曲げられることを特徴とする請求項５記載の仕切体。
【発明の詳細な説明】
【技術分野】
【０００１】
本発明は、底面形状が長方形の箱の内部を複数に区画する格子状の仕切体に関する。
【背景技術】
【０００２】
従来、複数の縦仕切板（第１仕切板）と複数の横仕切板（第２仕切板）とが共に起立した状態で互いに交差するように組み立てられ、それらの複数の縦仕切板と複数の横仕切板とによって箱の内部を複数に区画する仕切体が知られている。この種の仕切体は、例えば、縦仕切板には、上端縁から下方に延びる複数の上切込が形成されており、また、横仕切板には、前記縦仕切板の各第１切欠部に対応する位置に、その下端縁から上方に延びる複数の下切込が形成されている。前記縦仕切板の上切込は、前記横仕切板の数に対応して形成されており、前記横仕切板の下切込は、前記縦仕切板の数に対応して形成されている。そして、前記縦仕切板と前記横仕切板とは、前記上切込と前記下切込とが互いに係合された状態で組み立てられている。
【０００３】
この種の仕切体は組み立てた状態では嵩張るために、未使用時には組み立てられていない状態で縦仕切板と横仕切板とを互いに取り外して保管が行われるが、仕切体として使用状態とする場合には、縦仕切板と横仕切板とを上切込と下切込とを係合させて組み立てるといった煩わしい作業が必要となっていた。更に、この種の仕切体は、組み立て後には、前記縦仕切板の上切込は、前記横仕切板の下切込を上方から受け止めるように係合されているため、前記縦仕切板に対して前記横仕切板を上方に持ち上げたとき等に、縦仕切板と横仕切板との係合状態が互いに外れ易い不都合があった。
【０００４】
そこで、縦仕切板と横仕切板との組み立て状態を確実に維持することができる仕切体が知られている（特許文献１参照）。
【０００５】
この仕切体の各縦仕切板は、その上端縁から下方に延びる第１上切込と、該縦仕切板の下端縁から上方に延びる第１下切込とを所定間隔を存して交互に備えている。互いに隣合う縦仕切板のうち一方の縦仕切板の第１上切込及び第１下切込は、夫々他方の縦仕切板の第１下切込及び第１上切込に対向する位置に設けられている。また、各横仕切板は、その上端縁から下方に延びる第２上切込と、該縦仕切板の下端縁から上方に延びる第２下切込とを所定間隔を存して交互に備えている。互いに隣合う横仕切板のうち一方の横仕切板の第２上切込及び第２下切込は、他方の横仕切板の第２下切込及び第２上切込に対向する位置に設けられている。そして、前記縦仕切板と前記横仕切板とは、各第１上切込と各第２下切込とが互いに係合され、各第１下切込と各第２上切込とが互いに係合して組み立てられている。これによって、各第１上切込と各第２下切込との係合方向が各第１下切込と各第２上切込との係合方向に対して逆方向となり、縦仕切板と横仕切板とを格子状に組み立てた状態を確実に維持することができる。
【０００６】
このように縦仕切板と横仕切板とが外れ難い構造で組み立てられている場合には、未使用時に縦仕切板と横仕切板とを互いに取り外すことは行なわれず、例えば、格子状に組み立てられた状態の仕切体をその対角線方向に収束させるように畳み込んで保管することが行なわれる。即ち、この種の仕切体を対角線方向に押し狭めると、縦仕切板と横仕切板との各係合位置を支点として縦仕切板と横仕切板とが起立状態を維持して傾動した後、縦仕切板と横仕切板とが互いに重合するように束ねられる。こうすることによって、仕切体は比較的細長い形状に畳み込まれた状態となり、保管スペースを小とすることができるだけでなく、仕切体を使用するときには対角線方向に広げるだけで即座に組み立て状態とすることができる。
【０００７】
ところで、この種の仕切体においては、一つの箱に対して一つの仕切体が対応して使用される。そこで、畳み込んだ仕切体を箱内部に収容しておき、使用時に仕切体を組み立て状態とすることで、作業効率を向上させることが考えられる。
【０００８】
しかし、この種の仕切体をその対角線方向に収束させて畳み込んだ場合には、畳み込まれた仕切体の全長が過剰に長くなるため、畳んだ状態の仕切体を箱の内部に収容することができない不都合があった。
【特許文献１】実用新案登録第２５４５３３４号公報
【発明の開示】
【発明が解決しようとする課題】
【０００９】
かかる不都合を解消して、本発明は、極めてコンパクトに畳み込むことができ、更に、格子状に組み立てた状態を確実に維持して迅速な組み立てと折り畳みが行える仕切体を提供することを目的とする。
【課題を解決するための手段】
【００１０】
かかる目的を達成するために、本発明は、底面形状が長方形の箱の内部に収容自在に形成され、前記箱の底面形状の長辺方向に所定間隔を存して配列された複数の第１仕切板と前記箱の底面形状の短辺方向に所定間隔を存して配列された複数の第２仕切板とが共に起立した状態で互いに交差して前記箱の内部を格子状に区画する仕切体において、それぞれの第２仕切板の同じ位置に上下方向に延びる折目線を設け、該折目線を介して各第２仕切板を同時に折り曲げて各第２仕切板と各第１仕切板とを互いに重合する方向に折り畳み自在としたことを特徴とする。
【００１１】
本発明においては、各第２仕切板の同じ位置に上下方向に延びる折目線を設けたことにより、該折目線を介して各第２仕切板を同方向に折り曲げるだけで、各第２仕切板と各第１仕切板とを互いに重合する方向に折り畳むことができる。更に、このように折り畳んだときには、各第２仕切板が折目線を介して折り返されたぶん短くなり、折り畳み形状をコンパクトに形成することができる。これによって、畳んだ状態で箱の底部に載置収容しておくことができる。
【００１２】
また、本発明においては、それぞれの第２仕切板の同じ位置に上下方向に互いに平行に延びる複数の折目線を設け、各折目線を介して各第２仕切板を同時に蛇腹状に折り曲げて各第２仕切板と各第１仕切板とを互いに重合する方向に折り畳み自在としたことを特徴とする。本発明によれば、各第２仕切板に複数の折目線を設けることにより、各第２仕切板を蛇腹状に折り曲げることができ、仕切体を折り畳んだときには、より一層コンパクトな折り畳み形状とすることができる。
【００１３】
また、本発明において、前記折目線は、第１仕切板との交差位置に設けられていることが好ましい。これによって、仕切体を折り畳むときには、第１仕切板を第２仕切板の折目線の折り曲げ方向に引っ張るだけで容易に畳み込むことができ、また、畳んだ状態から使用状態に組み立てるときには、第１仕切板を折目線の折り曲げ方向と逆方向に引っ張るだけで、容易に組み立て状態とすることができる。更に、組み立て状態で箱内に収容したときには、箱の側壁に第１仕切板の両端が規制されるので、折目線の折り癖がつきにくい利点がある。
【００１４】
また、本発明において、前記第１仕切板は、その上端縁から下方に延びる第１上切込と、該第１仕切板の下端縁から上方に延びる第１下切込とを備え、前記第２仕切板は、その下端縁から上方に延びて前記第１仕切板の第１上切込に係合する第２下切込と、該第２仕切板の上端縁から下方に延びて前記第１仕切板の第１下切込に係合する第２上切込とを備えることが好ましい。これによって、前記第１仕切板の第１上切込が、前記第２仕切板の第２下切込を上方から受け止めるように係合されると同時に、前記第２仕切板の第２上切込が、前記第１仕切板の第１下切込を上方から受け止めるように係合されるので、例えば、前記第１仕切板に対して前記第２仕切板を上方に持ち上げても、第１仕切板と第２仕切板とは係合状態が互いに外れ難く、組み立て状態を確実に維持しながらコンパクトな折り畳み形状とすることができる。
【００１５】
また、本発明においては、前記第２仕切板の両端部に互いに対向して起立する一対の側板が設けられ、一方の側板の下縁と他方の側板の下縁とに両端縁が一体に連設されて前記箱の底面に沿って水平方向に延びる矩形状の底板が設けられ、該底板は、前記側板の下縁に平行に形成された他の折目線を備え、前記第２仕切板を折り曲げて各第２仕切板と各第１仕切板とを互いに重合する方向に折り畳んだとき、両側板が互いに接近することにより他の折目線を介して底板が折り曲げられることを特徴とする。
【００１６】
第２仕切板の両端部に側板が設けられていると共に、両側板に連設された前記底板が設けられている場合には、底板に前記他の折目線を設けておくだけで、該他の折目線を介して底板を折り畳むことができる。これにより、第２仕切板を折り曲げて各第２仕切板と各第１仕切板とを互いに重合する方向に折り畳むだけで底板が折り曲げられるので、該底板が設けられていても仕切体を容易に折り畳むことができる。
【００１７】
このとき、前記底板は、前記側板の下縁に平行に形成された他の折目線を複数備え、前記第２仕切板を折り曲げて各第２仕切板と各第１仕切板とを互いに重合する方向に折り畳んだとき、両側板が互いに接近することにより各他の折目線を介して底板が蛇腹状に折り曲げられることが好ましい。これにより、第２仕切板を折り曲げて各第２仕切板と各第１仕切板とを互いに重合する方向に折り畳むだけで底板が蛇腹状に折り畳まれるので、該底板が設けられていても仕切体の折り畳み形状をコンパクトとすることができる。
【発明を実施するための最良の形態】
【００１８】
本発明の実施形態を図面に基づいて説明する。図１は第１の実施形態の仕切体を示す説明的斜視図、図２は図１示の仕切体を分解して示す説明図、図３は図１示の仕切体の使用状態を示す説明図、図４（ａ）及び（ｂ）は図１示の仕切体の折り畳み作業を示す説明図、図５は折り畳んだ図１示の仕切体の箱内への収納状態を示す説明図、図６（ａ）及び（ｂ）は第１の実施形態の変形例を示す説明図、図７は第２の実施形態の仕切体を示す説明的斜視図、図８は図７示の仕切体を分解して示す説明図、図９（ａ）及び（ｂ）は図７示の仕切体の折り畳み作業を示す説明図である。
【００１９】
本発明の第１の実施形態の仕切体１は、図１に示すように、合成樹脂製の板材からなる複数（本実施形態においては５枚）の第１仕切板２ａ〜２ｅと、複数（本実施形態においては３枚）の第２仕切板３ａ〜３ｃとが起立した状態で互いに交差して組み立てられている。
【００２０】
図２に示すように、第１仕切板２ａ〜２ｅには、その上端縁から下方に延びる第１上切込４と、その下端縁から上方に延びる第１下切込５とが交互に形成されている。詳しくは、第１仕切板２ａ，２ｃ，２ｅには、一対の第１上切込４の間に一つの第１下切込５が形成され、第１仕切板２ｂ，２ｄには、一対の第１下切込５の間に一つの第１上切込４が形成されている。即ち、第１仕切板２ｂ，２ｄは、第１仕切板２ａ，２ｃ，２ｅの上縁が下縁となるように反転させたものでる。
【００２１】
また、第２仕切板３ａ〜３ｃには、その上端縁（図２中左端縁）から下方に延びる第２上切込６と、その下端縁（図２中右端縁）から上方に延びる第２下切込７とが交互に形成されている。詳しくは、第２仕切板３ｂには、三つの第２上切込６が形成されており、各第２上切込６の間に第２下切込７が形成されている。一方、第２仕切板３ａ，３ｃには、三つの第２下切込７が形成されており、各第２下切込７の間に第２上切込６が形成されている。即ち、第２仕切板３ｂは、第２仕切板３ａ，３ｃの上縁が下縁となるように反転させたものでる。
【００２２】
更に、第２仕切板３ａ，３ｃには、その中央に位置する第２下切込７の延長線上に延びる折目線８が形成されており、第２仕切板３ｂには、その中央に位置する第２上切込６の延長線上に延びる折目線９が形成されている。
【００２３】
そして、図２の状態から第１上切込４を第２下切込７に、第１下切込５を第２上切込６に、夫々対応する位置において係合して図１に示すように仕切体１が組み立てられる。これにより、第１上切込４と第２下切込７との係合方向と、第１下切込５と第２上切込６との係合方向とは互いに逆方向であるので、仕切体１の組み立て状態を確実に維持することができる。
【００２４】
このように組み立てられた仕切体１は、図３に示すように、組み立て状態で箱Ｂの内部に収容され、箱Ｂの内部を格子状に区画する。そして、本実施形態の仕切体１は、未使用時に折り畳んでおくことができる。即ち、本実施形態の仕切体１においては、先ず、図４（ａ）に示すように、前記折目線８，９を介して第２仕切板３ａ〜３ｃを同一方向に折り曲げる。これに伴い、図２示の第１上切込４と第２下切込７との係合位置及び、第１下切込５と第２上切込６との係合位置がそれぞれ支点となって各第２仕切板３ａ〜３ｃと各第１仕切板２ａ〜２ｅとが互いに重合する方向に揺動し、図４（ｂ）に示すように、各第１仕切板２ａ〜２ｅと各第２仕切板３ａ〜３ｃとが収束された状態に折り畳まれる。このとき、仕切体１は第２仕切板３ａ〜３ｃが前記折目線８，９を介して折り曲げられた状態であるので、その長さ寸法Ｌが比較的短くなり、箱Ｂの底部に収まる大きさに折り畳まれる。これによって、例えば、図５に示すように、前記箱Ｂが合成樹脂によりトレー状に一体成形されれ、積み重ねて保管される形状である場合に、上下に重ねられた箱Ｂの底部の隙間に、折り畳んだ状態の仕切体１を収納することができる。こうしておけば、箱Ｂを使用するときに、箱Ｂの内部にある仕切体１を組み立てて即座に使用することができる。なお、本実施形態の仕切体１の折り畳み作業においては、折目線８，９の位置に係合している第１仕切板２ｃを第２仕切板３ａ〜３ｃの折目線８，９の折り曲げ方向に引っ張るだけで容易に畳み込むことができる。また、仕切体１を使用状態とする作業としては、折目線８，９の位置に係合している第１仕切板２ｃを折目線８，９の折り曲げ方向と逆方向に引っ張るだけで、容易に使用状態とすることができる。
【００２５】
また、本実施形態においては、第２仕切板３ａ〜３ｃに折目線８，９が一つずつ設けられている例を示したが、本発明はそれに限るものではない。即ち、図示しないが、第２仕切板３ａ，３ｃに、その中央に位置する第２下切込７とその両側に隣り合う第２上切込６の延長線上に延びる折目線を形成しておき、第２仕切板３ｂに、その中央に位置する第２上切込６とその両側に隣り合う第２下切込７の延長線上に延びる折目線を形成しておくことにより、図６（ａ）に示すように、第２仕切板３ａ〜３ｃを蛇腹状に折り曲げて仕切体１を一層コンパクトに折り畳むことができる。
【００２６】
また、第２仕切板３ａ〜３ｃに設ける折目線は、第２下切込７や第２上切込６の延長線上に一致させることなく、第２仕切板３ａ〜３ｃの適宜位置に上端縁から下端縁にわたって折目線を形成してもよい。これによっても、図６（ｂ）に示すように、第２仕切板３ａ〜３ｃを折り曲げて仕切体１を折り畳むことができる。
【００２７】
次に、本発明の第２の実施形態について説明する。本発明の第２の実施形態の仕切体１０は、図７に示すように、前述した第１実施形態と同様の第１仕切板２ａ〜２ｅと第２仕切板３ａ〜３ｃとが起立した状態で互いに交差し、更に、第２仕切板３ａ〜３ｃの両側に係止された一対の第１側板１１ａ，１１ｂと、第１仕切板２ａ〜２ｅの両側に係止された一対の第２側板１２ａ，１２ｂとを備えて組み立てられている。なお、第１仕切板２ａ〜２ｅ及び第２仕切板３ａ〜３ｃにおいて、第１実施形態と同様の構成である部分については、図中同一の符号を付してその説明を省略する。
【００２８】
また、第１仕切板２ａ〜２ｅと第２仕切板３ａ〜３ｃとの底部側には底板１３が設けられている。該底板１３は、図８に示すように、一端が第１側板１１ａの下端縁（図８中においては上端縁）に一体に連設され、他端が第１側板１１ｂの下端縁に一体に連設されている。
【００２９】
図８に示すように、第２仕切板３ａ〜３ｃの両側縁には一対ずつ係止爪１３が形成されており、各係止爪１３を第１側板１１ａ，１１ｂに形成された各切れ目１４に挿入することにより、第２仕切板３ａ〜３ｃと第１側板１１ａ，１１ｂとが連結されている。同じように、第１仕切板２ａ〜２ｅの両側縁にも一対ずつ係止爪１５が形成されており、各係止爪１５を第２側板１２ａ，１２ｂに形成された各切れ目１６及び係止穴１７に挿入することにより、第１仕切板２ａ〜２ｅと第２側板１２ａ，１２ｂとが連結されている。
【００３０】
更に、第２仕切板３ａ，３ｃには、その中央に位置する第２下切込７とその両側に隣り合う第２上切込６の延長線上に延びる折目線１８が形成されており、第２仕切板３ｂには、その中央に位置する第２上切込６とその両側に隣り合う第２下切込７の延長線上に延びる折目線１９が形成されている。また、第２側板１２ａ，１２ｂには、第２仕切板３ａ〜３ｃの折目線１８，１９に対応する位置に、折目線２０が形成されており、底板１３には所定間隔を存して複数の折目線２１（他の折目線）が形成されている。
【００３１】
このように構成された仕切体１０においては、図９（ａ）に示すように、第２仕切板３ａ〜３ｃと第２側板１２ａ，１２ｂとをその夫々の折目線１８，１９，２０に沿って蛇腹状に折り曲げることにより、各第１仕切板２ａ〜２ｅ、各第２仕切板３ａ〜３ｃ、各第１側板１１ａ，１１ｂ、及び各第２側板１２ａ，１２ｂが収束された状態に折り畳まれる。このとき同時に、底板１３を折目線２１に沿って蛇腹状に折り畳むことにより、図９（ｂ）に示すように、仕切体１０を極めて小さく収束させた状態に折り畳むことができる。
【図面の簡単な説明】
【００３２】
【図１】本発明の第１の実施形態の仕切体を示す説明的斜視図。
【図２】図１示の仕切体を分解して示す説明図。
【図３】図１示の仕切体の使用状態を示す説明図。
【図４】図１示の仕切体の折り畳み作業を示す説明図、
【図５】折り畳んだ図１示の仕切体の箱内への収納状態を示す説明図。
【図６】第１の実施形態の変形例を示す説明図。
【図７】第２の実施形態の仕切体を示す説明的斜視図。
【図８】図７示の仕切体を分解して示す説明図。
【図９】図７示の仕切体の折り畳み作業を示す説明図、
【符号の説明】
【００３３】
１，１０…仕切体、２ａ，２ｂ，２ｃ，２ｄ，２ｅ…第１仕切板、３ａ，３ｂ，３ｃ…第２仕切板、４…第１上切込、５…第１下切込、６…第２上切込、７…第２下切込、８，９，１８，１９，２０…折目線、１１ａ，１１ｂ…第１側板（側板）、１３…底板、２１…他の折目線、Ｂ…箱。
【図１】
2005053518.tif 000003
【図２】
2005053518.tif 000004
【図３】
2005053518.tif 000005
【図４】
2005053518.tif 000006
【図５】
2005053518.tif 000007
【図６】
2005053518.tif 000008
【図７】
2005053518.tif 000009
【図８】
2005053518.tif 000010
【図９】
2005053518.tif 000011